(57)【要約】【課題】主となる光端末装置のみに監視装置を備えることができ、光ファイバ伝送路の損失を常時観測することが可能な光回線監視装置を提供する。【解決手段】光信号を出力する受信端末装置１と、光信号が入力する送信端末装置２と、光信号を伝送する光ファイバ伝送路４〜６とを備え、送信端末装置２は、Ｏ／Ｅ変換器１９と、光信号とは異なる波長を有する基準光を出力する基準用光源２０とを有し、光信号の波長を通過し基準光の波長を反射するＦＢＧ２６を受信端末装置１への入力端に設置し、送信端末装置２は、基準光を光ファイバ伝送路に入力しＦＢＧ２６により反射して戻る基準光を光信号と分離して取り出すための合分波器２３〜２５を有し、反射して戻る基準光の強度を基準用光源の出力より定めた基準強度と比較することにより光ファイバ伝送路の損失を監視する手段を備える。【選択図】図１
2018207245.tif 000002
【特許請求の範囲】
【請求項１】
光信号を出力する第１の光端末装置と、前記光信号が入力する第２の光端末装置と、前記第１の光端末装置と前記第２の光端末装置間を接続して前記光信号を伝送する光ファイバ伝送路とを備え、
前記第２の光端末装置は、前記光信号を電気信号に変換するＯ／Ｅ変換器と、前記光信号とは異なる波長を有する基準光を出力する基準用光源とを有し、
前記光信号の波長を通過し前記基準光の波長を反射する反射型回折格子を前記光ファイバ伝送路の前記第１の光端末装置への入力端近傍に設置し、
前記第２の光端末装置は、前記基準光を前記光ファイバ伝送路に入力し前記反射型回折格子により反射して戻る前記基準光を前記光信号と分離して取り出すための合分波器を有し、前記反射して戻る基準光の強度を前記基準用光源の出力より定めた基準強度と比較することにより前記光ファイバ伝送路の損失を監視する手段を備えることを特徴とする光回線監視装置。
【請求項２】
少なくとも１つの光信号を出力する第１の光端末装置と、前記光信号が入力する第２の光端末装置と、前記第１の光端末装置と前記第２の光端末装置間を接続して前記光信号を含む複数の光波を伝送するＮ本（ここでＮは２以上の整数）の光ファイバ伝送路とを備え、
前記第２の光端末装置は、前記光信号を電気信号に変換するＯ／Ｅ変換器と、前記複数の光波とは異なる波長を有する基準光を出力する基準用光源とを有し、
前記複数の光波の波長を通過し前記基準光の波長を反射する反射型回折格子を前記Ｎ本の光ファイバ伝送路の前記第１の光端末装置への入力端近傍にそれぞれ設置し、
前記第２の光端末装置は、前記基準光をＮ分岐するための１×Ｎ光カプラと、該Ｎ分岐された基準光を前記Ｎ本の光ファイバ伝送路にそれぞれ入力し前記反射型回折格子によりそれぞれ反射して戻る前記基準光を前記複数の光波と分離して取り出すためのＮ個の合分波器を有し、
それぞれの前記反射して戻る基準光の強度を前記基準用光源の出力より定めた基準強度と比較することにより前記Ｎ本の光ファイバ伝送路の損失を監視する手段を備えることを特徴とする光回線監視装置。
【請求項３】
前記第1の光端末装置は、電波を受信するアンテナに隣接して配置され、前記光ファイバ伝送路により入力された入力光の強度を前記アンテナで受信した電気信号に応じて変調した変調光を前記光信号として出力する光変調器を備え、前記第２の光端末装置は、前記光変調器に前記入力光を供給する変調用光源を備えることを特徴とする請求項１または２に記載の光回線監視装置。
【請求項４】
前記反射型回折格子は光ファイバ・ブラッグ・グレーティングであることを特徴とする請求項１乃至３のいずれか１項に記載の光回線監視装置。
【請求項５】
前記光ファイバ・ブラッグ・グレーティングは、前記光ファイバ伝送路を前記第１の光端末装置へ接続する入力部のいずれかに配置された光コネクタに内蔵されていることを特徴とする請求項４に記載の光回線監視装置。
【請求項６】
前記基準用光源からの前記基準光は、光サーキュレータを介して前記合分波器に入力し、前記合分波器から取り出された前記反射して戻る基準光は前記光サーキュレータを介して基準光用のＯ／Ｅ変換器に入力することにより前記基準光の強度を検出することを特徴とする請求項１乃至５のいずれか１項に記載の光回線監視装置。
【請求項７】
前記基準用光源からの前記基準光は、１×２光カプラを介して前記合分波器に入力し、前記合分波器から取り出された前記反射して戻る基準光は前記１×２光カプラを介して基準光用のＯ／Ｅ変換器に入力することにより前記基準光の強度を検出することを特徴とする請求項１乃至５のいずれか１項に記載の光回線監視装置。
【請求項８】
前記光信号を含む複数の光波のいずれかが入力するＯ／Ｅ変換器と前記複数の光波のいずれかを出力するＥ／Ｏ変換器または光源は光送受信用の筐体に収納され、前記基準用光源と前記１×Ｎ光カプラと前記Ｎ個の合分波器は前記光送受信用の筐体とは分離された監視制御用の筐体に収納されていることを特徴とする請求項２に記載の光回線監視装置。
【発明の詳細な説明】
【技術分野】
【０００１】
本発明は、複数の光端末装置間を光ファイバ伝送路で接続して光信号の送受信を行う光回線に関し、特に光ファイバ伝送路の損失を監視する光回線監視装置に関する。
【背景技術】
【０００２】
光回線において、故障等による光ファイバ伝送路の断線や損失の変化を監視することは、その光回線の信頼性を確保する上で不可欠であり、様々な監視方法や監視装置が用いられている。光ファイバ伝送路の損失の代表的な監視方法は光パルス試験機を用いて、各接続部や障害点からの光パルスの反射光の到達時間や反射光強度から光ファイバ伝送路の損失及びその発生個所を検出する方法である。この方法の一例が特許文献１に記載されている。
【０００３】
他の代表的な方法は、光ファイバ伝送路を伝送された受信光信号や監視用の光信号等の光強度を光パワーメータで測定し、基準となる値と比較することにより光ファイバ伝送路全体の損失を測定する方法であり、この測定方法の一例が特許文献２に記載されている。
【先行技術文献】
【特許文献】
【０００４】
【特許文献１】特開２００４−３１７４０２号公報
【特許文献２】特開２００３−６０５８８号公報
【発明の概要】
【発明が解決しようとする課題】
【０００５】
上記の従来の監視方法において、光パルス試験機を用いる方法は、損失等の情報は作業者が画面上から把握するので、主として、光ファイバ伝送路を設置したときの初期状態の把握や光ファイバ伝送路等に問題が生じたときの原因分析などを行う際に使用されている。一方、受信した光信号等の光強度から光ファイバ伝送路の損失を測定する方法は、主として、その光強度を常時観測し、光回線に異常が生じたときに警告信号を発生させるなどの目的で使用されている。
【０００６】
複数の光端末装置からなる光回線を運用する上では、光ファイバ伝送路に故障などの異常が生じたときにはできるだけ早く把握し、通常備えている予備伝送路などへ切り替えることが望まれる。しかし、受信する光信号の強度を常に監視して基準値と比較することをすべての光端末装置で行うことができない場合が多い。すなわち、主となる光端末装置が存在し、その主となる光端末装置からの光信号を受信するのみ、またはその主となる光端末装置に光信号を送信するのみ等、必要最小限の機能のみを備える光端末装置では、コストや形状および消費電力上の制限から上記のような監視のための手段を備えることが難しい場合がある。例えば、アンテナで受信した電波信号により入力光を光変調器を用いて変調し、光信号として出力する光受信端末を備え、その光信号を光ファイバ伝送路で主となる光端末装置に伝送する送受信システムでは、アンテナの近くに設置される光受信端末装置は無給電で運用されることが多く、電源自体がないので上記の監視装置を備えることができない。
【０００７】
本発明の目的は、上記の課題を解決し、主となる光端末装置のみに監視装置を備えることができ、光ファイバ伝送路の損失を常時観測することが可能な光回線監視装置を提供することにある。
【課題を解決するための手段】
【０００８】
上記課題を解決するため、第１の観点では、本発明による光回線監視装置は、光信号を出力する第１の光端末装置と、前記光信号が入力する第２の光端末装置と、前記第１の光端末装置と前記第２の光端末装置間を接続して前記光信号を伝送する光ファイバ伝送路とを備え、前記第２の光端末装置は、前記光信号を電気信号に変換するＯ／Ｅ変換器と、前記光信号とは異なる波長を有する基準光を出力する基準用光源とを有し、前記光信号の波長を通過し前記基準光の波長を反射する反射型回折格子を前記光ファイバ伝送路の前記第１の光端末装置への入力端近傍に設置し、前記第２の光端末装置は、前記基準光を前記光ファイバ伝送路に入力し前記反射型回折格子により反射して戻る前記基準光を前記光信号と分離して取り出すための合分波器を有し、前記反射して戻る基準光の強度を前記基準用光源の出力より定めた基準強度と比較することにより前記光ファイバ伝送路の損失を監視する手段を備えることを特徴とする。
【０００９】
上記のように、本発明においては、反射型回折格子を光ファイバ伝送路の第１の光端末装置への入力端近傍に設置し、第２の光端末装置から基準光を光ファイバ伝送路に入力し、反射型回折格子により反射して戻るその基準光の強度を第２の光端末装置において測定する。基準用光源の出力を一定に保てば、上記の強度を測定することにより、基準光が往復する光ファイバ伝送路の損失の変化の有無及びその変化量を検出することができる。
【００１０】
ここで、基準用光源は光信号とは異なる波長を有し、第１の光端末装置への入力端近傍に設置する反射型回折格子は光信号の波長を通過し基準用光源の波長を反射するように設定している。これにより、第１の光端末装置から出力された光信号は光ファイバ伝送路を通過して第２の光端末装置に入力させることができる。基準光は、光信号の波長と基準光の波長とを合波する合分波器を介して光ファイバ伝送路に入力され、反射して戻る基準光が同じ合分波器により光信号と分離して取り出される。
【００１１】
本発明の光回線監視装置においては、主となる第２の光端末装置に基準光源や反射して戻る基準光の強度を測定し基準用光源の出力と比較する手段などの監視手段を有し、第１の光端末装置はその入力端近傍に反射型回折格子のみを設置すればよい。これにより、第１の光端末装置にコストや形状および消費電力等に対する特別の負荷を与えることなく光ファイバ伝送路の損失を常時観測することが可能となる。
【００１２】
第２の観点では、本発明による光回線監視装置は、少なくとも１つの光信号を出力する第１の光端末装置と、前記光信号が入力する第２の光端末装置と、前記第１の光端末装置と前記第２の光端末装置間を接続して前記光信号を含む複数の光波を伝送するＮ本（ここでＮは２以上の整数）の光ファイバ伝送路とを備え、前記第２の光端末装置は、前記光信号を電気信号に変換するＯ／Ｅ変換器と、前記複数の光波とは異なる波長を有する基準光を出力する基準用光源とを有し、前記複数の光波の波長を通過し前記基準光の波長を反射する反射型回折格子を前記Ｎ本の光ファイバ伝送路の前記第１の光端末装置への入力端近傍にそれぞれ設置し、前記第２の光端末装置は、前記基準光をＮ分岐するための１×Ｎ光カプラと、該Ｎ分岐された基準光を前記Ｎ本の光ファイバ伝送路にそれぞれ入力し前記反射型回折格子によりそれぞれ反射して戻る前記基準光を前記複数の光波と分離して取り出すためのＮ個の合分波器を有し、それぞれの前記反射して戻る基準光の強度を前記基準用光源の出力より定めた基準強度と比較することにより前記Ｎ本の光ファイバ伝送路の損失を監視する手段を備えることを特徴とする。
【００１３】
本観点の発明の光回線監視装置は、基本的には前記の第１の観点の発明と同様な構成であるが、本観点の発明においては、第１の光端末装置と第２の光端末装置の間に複数本の光ファイバ伝送路を有し、それらの複数本の光ファイバ伝送路の損失などを監視する際に、基準光源の光を分岐して複数本の光ファイバ伝送路に入力するものである。この場合、反射型回折格子は、光ファイバ伝送路の第１の光端末装置への入力端近傍にそれぞれ設置され、前記の複数本の光ファイバ伝送路で伝送される光波のいずれも通過し、基準用光源の光のみ反射させる機能を有するものである。基準光は、複数の光波の波長と基準光の波長とを合波する合分波器を介して光ファイバ伝送路に入力され、反射して戻る基準光が同じ合分波器により複数の光波と分離して取り出される。本観点の発明では、基準用光源の必要数を減らすことができ、低コストで装置を構成できる。なお、複数本の光ファイバ伝送路に定常的に使用されない予備伝送路等が含まれる場合は、使用中の光ファイバ伝送路のみに本発明の監視手段を設けてもよい。
【００１４】
第３の観点では、本発明は、前記第１又は第２の観点の光回線監視装置において、前記第1の光端末装置は、電波を受信するアンテナに隣接して配置され、前記光ファイバ伝送路により入力された入力光の強度を前記アンテナで受信した電気信号に応じて変調した変調光を前記光信号として出力する光変調器を備え、前記第２の光端末装置は、前記光変調器に前記入力光を供給する変調用光源を備えることを特徴とする。
【００１５】
テレビ電波などの中継システムでは、受信した電波を別の地域に向けて再送信する際に、電波干渉等を防ぐために受信端末装置と送信端末装置を離して設置する場合がある。この場合、雷害を防ぎ増幅器などのコストを低減するため光ファイバ伝送路が用いられ、受信端末装置として、光変調器を用いて入力光をアンテナで受信した電波信号により変調し、光信号として出力する無給電の受信端末装置が多く用いられている。この場合、第１の光端末装置である受信端末装置への入力光は主となる第２の光端末装置に備えた変調用光源から光ファイバ伝送路により供給される。このようなシステムでは、第１の光端末装置には電源が供給されないので、本観点の発明は特に有効である。なお、使用する光変調器が反射型の光変調器である場合は１つの光ファイバ伝送路で第１および第２の光端末装置間を接続することも可能であるが、光変調器が透過型である場合や光給電による電気回路で受信信号を増幅して光変調器に印加する場合には、入力光の供給や光給電のための光ファイバ伝送路が別途必要となり、それらの光ファイバ伝送路の監視も必要となる。
【００１６】
第４の観点では、本発明は、前記第１乃至第３の観点の光回線監視装置において、前記反射型回折格子は光ファイバ・ブラッグ・グレーティングであることを特徴とする。本発明に用いる反射型回折格子は、回折格子やコリメータ等の個別部品を組み合わせても構成可能であるが、光ファイバ中に埋め込まれた回折格子を有する光ファイバ・ブラッグ・グレーティングを用いる方が小型かつ低コストで実現可能である。
【００１７】
第５の観点では、本発明は、前記第４の観点の光回線監視装置において、前記光ファイバ・ブラッグ・グレーティングは、前記光ファイバ伝送路を前記第１の光端末装置へ接続する入力部のいずれかに配置された光コネクタに内蔵されていることを特徴とする。本観点の発明において、第１の光端末装置へ接続する入力部のいずれかに配置された光コネクタとしては、例えば、第１の光端末装置に接続される光ファイバの入力側の光コネクタ、第１の光端末装置の受け側の光コネクタ、入力部に設けた光成端箱の内部の光コネクタなど、いずれであってもよい。このように光ファイバ・ブラッグ・グレーティングを光コネクタ内蔵型とすることにより、光ファイバ・ブラッグ・グレーティングを挿入するために余分なスペースを必要としないでコンパクトに実装できる。さらに、第１の光端末装置の入力部に簡単に挿入でき、取り扱いも容易となる。
【００１８】
第６の観点では、本発明は、前記第１乃至第５の観点の光回線監視装置において、前記基準用光源からの前記基準光は、光サーキュレータを介して前記合分波器に入力し、前記合分波器から取り出された前記反射して戻る基準光は前記光サーキュレータを介して基準光用のＯ／Ｅ変換器に入力することにより前記基準光の強度を検出することを特徴とする。本発明においては反射型回折格子により反射して合分波器から戻る基準光の光路と合分波器に入射する基準光の光路とを分離する必要があり、本観点の発明では光サーキュレータを用いて分離するものである。反射して戻る基準光は基準光用のＯ／Ｅ変換器に入力し、その強度に応じた出力が得られる。
【００１９】
第７の観点では、本発明は、前記第１乃至第５の観点の光回線監視装置において、前記基準用光源からの前記基準光は、１×２光カプラを介して前記合分波器に入力し、前記合分波器から取り出された前記反射して戻る基準光は前記１×２光カプラを介して基準光用のＯ／Ｅ変換器に入力することにより前記基準光の強度を検出することを特徴とする。本観点の発明では、反射型回折格子により反射して合分波器から戻る基準光の光路と合分波器に入射する基準光の光路は１×２光カプラにより分離される。光サーキュレータを用いる場合と比べ、挿入損失は大きいが、低コストで実現可能である。
【００２０】
第８の観点では、本発明は、前記第２の観点の光回線監視装置において、前記光信号を含む複数の光波のいずれかが入力するＯ／Ｅ変換器と前記複数の光波のいずれかを出力するＥ／Ｏ変換器または光源は光送受信用の筐体に収納され、前記基準用光源と前記１×Ｎ光カプラと前記Ｎ個の合分波器は前記光送受信用の筐体とは分離された監視制御用の筐体に収納されていることを特徴とする。このように光ファイバ伝送路の監視用の装置部分だけ監視制御用の筐体として分離して構成すると、監視機能を備えていない既存の光回線において、本発明による監視機能を付加することが容易となる。第１の光端末装置側では、例えば光コネクタを光ファイバ・ブラッグ・グレーティングを内蔵した光コネクタに交換するのみでよい。この場合、監視制御用の筐体を、基準光源や１×Ｎ光カプラ、基準光用のＯ／Ｅ変換器や比較回路などを収納した監視ユニットと、この監視ユニットおよび光送受信用の筐体と光ファイバ伝送路との間を接続するＮ個の合分波器を備えた光接続ユニットとに分割してもよい。
【発明の効果】
【００２１】
上記のように、本発明により、主となる光端末装置のみに監視装置を備えることができ、光ファイバ伝送路の損失を常時観測することが可能な光回線監視装置が得られる。
【図面の簡単な説明】
【００２２】
【図１】実施例１に係る光回線監視装置のブロック構成図。
【図２】実施例１における受信端末装置の構成を示す図。
【図３】実施例２に係る光回線監視装置のブロック構成図。
【発明を実施するための形態】
【００２３】
以下、図面を参照して本発明の光回線監視装置を実施例により詳細に説明する。なお、図面の説明において同一の要素には同一符号を付し、その重複した説明を省略する。
【実施例１】
【００２４】
図１は実施例１に係る光回線監視装置のブロック構成図である。図１に示すように、本実施例の光回線監視装置１０は、光信号を出力する第１の光端末装置である受信端末装置１と、光信号が入力する第２の光端末装置である送信端末装置２と、受信端末装置１と送信端末装置２間を接続して光信号を伝送する光ファイバ伝送路６、および光ファイバ伝送路４、光ファイバ伝送路５を備えている。本実施例は、先に述べたテレビ電波などの中継システムに本発明を適用した一例である。
【００２５】
図２は受信端末装置１の構成を示す図である。図２に示すように、受信端末装置１は、電波１３を受信するアンテナ１１に隣接して配置され、光ファイバ伝送路４により入力された入力光の強度をアンテナ１１で受信した電気信号に応じて変調した変調光を光信号として出力する光変調器１２を備えている。本実施例においては、アンテナ１１で受信した電気信号は受信帯域の信号を通過させるフィルタ１４を通し、増幅器１５において増幅して光変調器１２に印加する。図１に示すように、送信端末装置２は、光ファイバ伝送路４を介して光変調器１２に波長λ１の入力光（無変調光）を供給する変調用光源１６とともに、増幅器１５の電力を光給電により得るため波長λ２の給電用光源１７を備えている。給電用の光波（無変調光）は光ファイバ伝送路５を介して受信装置２の光給電部１８に送られ、電力に変換される。また、送信端末装置２は、光ファイバ伝送路６により受信端末装置１から送られた光信号を電気信号に変換するためのＯ／Ｅ変換器１９を備えている。
【００２６】
さらに、本実施例において、送信端末装置２は、変調用光源１６の波長λ１および給電用光源１７の波長λ２とは異なる波長λ３を有する基準光を出力する基準用光源２０を備えており、その出力は１×３光カプラ２１により３分岐される。この３分岐された基準光は、それぞれ１×２光カプラ２２を介して合分波器に入力する。合分波器２３に入射した基準光は波長λ１の変調用光源１６からの光波と合波されて光ファイバ伝送路４に入力する。合分波器２４に入射した基準光は波長λ２の給電用光源１７からの光波と合波されて光ファイバ伝送路５に入力する。合分波器２５に入射した基準光は波長λ１の変調された光信号が伝送されてくる光ファイバ伝送路６に入力する。光ファイバ伝送路４、５、６の受信端末装置１への入力端にはそれぞれ、波長λ１および波長λ２の光波を通過し、基準光の波長λ３を反射する光ファイバ・ブラッグ・グレーティング（ＦＢＧ）２６が設置されている。
【００２７】
送信端末装置２において光ファイバ伝送路４、５、６にそれぞれ入力した波長λ３の基準光は、受信端末装置１の入力端に設置されたＦＢＧ２６によりそれぞれ反射して送信端末装置２に戻る。反射して戻るそれらの基準光は光合分波器２３、２４、２５によりそれぞれ分離されて取り出され、１×２光カプラ２２を介してその強度を検出するためのフォトダイオードを用いた基準光用のＯ／Ｅ変換器２７、２８、２９にそれぞれ入力される。基準光用のＯ／Ｅ変換器２７、２８、２９ではそれぞれ、光ファイバ伝送路４、５、６を基準光が往復することにより生じた損失に依存する値として基準光の強度が検出される。そこで、予め光ファイバ伝送路の損失が基準値である場合の基準光の強度を測定してその値を基準強度として定めておき、比較判定回路３０において、その基準強度と測定された基準光の強度を常に比較することにより、光ファイバ伝送路に異常な損失が生じているか否かを定常的に判定できる。
【００２８】
本実施例において、ＦＢＧ２６は受信端末装置１への入力側の光コネクタに内蔵されている。また、送信端末装置２において、光変調用光源１６、給電用光源１７、Ｏ／Ｅ変換器１９は光送受信用の筐体である送信ユニット３１に収納され、基準用光源２０、１×３光カプラ２１、１×２光カプラ２２、基準光用のＯ／Ｅ変換器２７、２８、２９、および比較判定回路３０は監視ユニット３２に収納され、この監視ユニット３２および送信ユニット３１と光ファイバ伝送路４、５、６との間を接続する合分波器２３、２４、２５は光接続ユニット３３に収納されている。すなわち、監視制御用の筐体は監視ユニット３２と光接続ユニット３３とから構成されている。このように分割して構成することにより、監視機能を備えていない既存のシステムにおいて、本発明による監視機能を付加することが容易となる。なお、光ファイバ伝送路４、５、６と合分波器２３、２４、２５との間の接続、１×２光カプラ２２と合分波器２３、２４、２５との間の接続等は光ファイバ融着または光コネクタを用いてもよい。
【００２９】
本実施例の光変調用光源１６、給電用光源１７、基準用光源２０はレーザダイオードを用いた光源が使用できる。また、波長λ１として１５５０ｎｍ、波長λ２として１４８０ｎｍ、波長λ３としては１５３０ｎｍとすることができ、この場合、波長λ１および波長λ２の光波を通過し、波長λ３の光波を反射するＦＢＧ２６は容易に実現可能である。
【実施例２】
【００３０】
図３は実施例２に係る光回線監視装置のブロック構成図である。図３において、本実施例の光回線監視装置４０は、第１の光端末装置である光端末装置４１と、第２の光端末装置である光端末装置４２と、光端末装置４１と光端末装置４２間を接続して光信号を伝送する４本の光ファイバ伝送路４３〜４６とを備えている。本実施例においては、光端末装置４１と光端末装置４２間はそれぞれ、波長λ１の光信号を出力する２つのＥ／Ｏ変換器４７と光信号を電気信号に変換する２つのＯ／Ｅ変換器４８を備えている。
【００３１】
光端末装置４２は、光信号とは異なる波長λ3を有する基準光を出力する基準用光源５０を備えており、光ファイバ伝送路４３〜４６の光端末装置４１へのそれぞれの入力端の光コネクタ内には光信号の波長λ１を通過し基準光の波長λ3を反射するＦＢＧ５１が内蔵されている。
【００３２】
光端末装置４２は、送受信ユニット５２、監視ユニット５３、光接続ユニット５４を備えている。送受信ユニット５２には、２つのＥ／Ｏ変換器４７、２つのＯ／Ｅ変換器４８、Ｏ／Ｅ変換器４８からの受信信号を処理する受信回路５５、Ｅ／Ｏ変換器４７への送信信号を出力する送信回路５６が収納されている。監視ユニット５３には、基準用光源５０、基準用光源の光を４分岐するための１×４光カプラ５７、４つの１×２光カプラ５８、反射して戻る基準光の強度を検出するための基準光用のＯ／Ｅ変換器５９、および比較判定回路６０が収納されている。接続ユニット５４には、４つの合分波器６１が収納され、４分岐された後、それぞれ１×２光カプラ５８を介して合分波器６１に入力する波長λ３の基準光は、波長λ１の光信号と合波され、または入力する波長λ１の光信号と分離されて光ファイバ伝送路４３〜４６へ結合する。ＦＢＧ５１により反射して戻る基準光はそれぞれの合分波器６１により分離して取り出され、それぞれ１×２光カプラ５８を介して基準光用のＯ／Ｅ変換器５９に入力し、その強度が検出されて比較判定回路６０に入力される。比較判定回路６０では、測定された基準光の強度を基準強度と比較し、光ファイバ伝送路４３〜４６に異常な損失が生じているか否かを判定する。
【００３３】
Ｅ／Ｏ変換器４７、基準光源５０はレーザダイオードを用いた光源が使用できる。また、波長λ１として１５５０ｎｍ、波長λ３としては１５３０ｎｍとすることができ、この場合、波長λ１の光波を通過し、波長λ３の光波を反射するＦＢＧ５１は容易に実現可能である。光信号が波長多重された光信号である場合は、基準用光源の波長はそれらの波長とは異なる波長が選択される。
【００３４】
本実施例の光回線監視装置４０は予備の光ファイバ伝送路４９を備えている。光ファイバ伝送路４３〜４６に異常が検出されたときは、光端末装置４１側で接続切替えを行うと同時に光接続ユニット５４内で合分波器６１の出力側を予備の光ファイバ伝送路４９に接続することにより、その光ファイバ伝送路においても同様の監視を行うことができる。この場合、予備の光ファイバ伝送路４９の光端末装置４１へのそれぞれの入力端の光コネクタ内にＦＢＧ５１を内蔵していてもよく、または、ＦＢＧ５１を内蔵した接続用の光コネクタを介在させて光端末装置４１へ接続してもよい。
【００３５】
なお、本発明は上記の実施例に限定されるものではないことは言うまでもなく、目的や用途に応じて設計変更可能である。例えば、第１の光端末装置や第２の光端末装置は、実施例で記載した以外の従来の光回線の光端末装置で備えている様々な機能や部品を備える装置であってもよい。
【符号の説明】
【００３６】
１    受信端末装置
２    送信端末装置
４、５、６、４３、４４、４５、４６、４９    光ファイバ伝送路
１０、４０    光回線監視装置    
１１    アンテナ
１２    光変調器
１３    電波
１４    フィルタ
１５    増幅器
１６    変調用光源
１７    給電用光源
１８    光給電部
１９、４８    Ｏ／Ｅ変換器
２０、５０    基準用光源
２１    1×３光カプラ
２２、５８    １×２光カプラ
２３、２４、２５、６１    合分波器
２６、５１    ＦＢＧ
２７、２８、２９、５９    基準光用のＯ／Ｅ変換器
３０、６０    比較判定回路
３１    送信ユニット
３２、５３    監視ユニット
３３、５４    光接続ユニット
４１、４２    光端末装置
４７    Ｅ／Ｏ変換器
５２    送受信ユニット
５７    1×４光カプラ
【図１】
2018207245.tif 000003
【図２】
2018207245.tif 000004
【図３】
2018207245.tif 000005